(57)【特許請求の範囲】
【請求項１】
温水及び冷水の鑑賞魚用の週末用飼料又は休日用飼料としても使用可能な、長期間安定で、不溶性及び膨潤性を有し、水化学作用に負荷を与えない、淡水及び海水の水棲動物用の長期飼料において、滑らかな表面を有し、１〜２０重量％の水分、及び１〜５０重量％の寒天を含有することを特徴とする長期飼料。
【請求項２】
天然ゴムを含有しない、請求項１の長期飼料。
【請求項３】
複式スクリュー煮沸押出機により、水分１〜２０重量％の押出物となるように押出すことにより得られる、請求項１又は２の長期飼料。
【請求項４】
魚類、エビ及び無脊椎動物用の請求項１〜３のいずれか１項記載の長期飼料。
【請求項５】
１〜１０重量％の寒天を含有する、請求項１〜４のいずれか１項記載の長期飼料。
【請求項６】
直径２〜２０ｍｍであり、長さ５〜５０ｍｍのスティックである、請求項１〜５のいずれか１項記載の長期飼料。
【請求項７】
カオリン１５〜３５重量％、小麦グルテン１５〜３５重量％、ウマゴヤシ属粗びき殻粉(Luzernegruenmehl)５〜２５重量％、カゼイン５〜２０重量％、オキアミ５〜２０重量％、大豆油１〜１０重量％、乳蛋白１〜１０重量％、寒天１〜１０重量％並びにビタミン−ミネラルプレミックス、通常の着色剤及び／又は芳香物質もしくは誘引物質並びに保存剤からなる混合物を、複式スクリュー煮沸押出機により、押出機スクリュー回転数５０〜３００回転／分、殻粉導入部位の温度４０〜１６０℃、ノズルヘッド中の温度４０〜１８０℃、水の添加量１０〜５０ｌ及び／又は蒸気の添加量１〜３０kg/時、処理する原材料量が８０〜１，５００kg/時とし、スティックの直径が２〜２０mmであり長さ５〜５０mmであり、水分１〜２０重量％の抽出物となるように押出すことにより得られる、請求項１〜６のいずれか１項記載の長期飼料。
【発明の詳細な説明】
本発明は、週末用および休日用の鑑賞魚用飼料としても使用可能な、水棲動物、特に魚類、エビ及び無脊椎動物用の、淡水及び海水中において持続的な安定性を示す長期間飼料に関する。
淡水中の鑑賞魚用のこうした長期間安定な飼料、いわゆるブロック飼料（Fetter block）又は練固の飼料（Futter steine）、即ち、有機成分が少なく主に硫酸カルシウムからなる飼料は、以前から知られている。特にセメント及び生ゴムを長期安定化のために使用することによって硫酸カルシウムのブロック飼料の欠点を明らかに克服した休日用飼料も、ＤＥ３７０７０３２号明細書により公知となっている。しかしこの最後に述べた必要な添加物質は、水棲動物がほとんど消化できず、また多くの国において飼料関連法規により許可されていないことも欠点である。
したがって、本発明の課題は、飼料関連法規により一般に許可されていない補助物質を添加することなく、また同時に、水槽中の水質を他の補助物質によって低下させることなく、特に週末及び休日用として水槽中の温水及び冷水中の鑑賞魚にとって有効であり、これらの鑑賞魚に長期間に亘り栄養分を供与するものであり、量産可能であり、長期間安定であり、淡水及び海水中において使用可能である、水棲動物、特に魚類、エビ及び無脊椎動物用の長期間飼料を提供することにある。
驚くべきことに、植物ゴム、好ましくは寒天を使用することにより、セメント、硫酸カルシウム及び／又はラテックスの使用を避け得ると共に、これらの飼料調製物が、ＤＥ３７０７０３２号明細書に記載された飼料に比べて本質的に改良された性状を示すことが見出された。
したがって、本発明の課題は、温水及び冷水の鑑賞魚用の週末用飼料又は休日用飼料としても使用可能な、長期間安定で不溶性の水化学作用に負荷を与えない、淡水及び海水の水棲動物、特に魚類、エビ及び無脊椎動物用の長時間飼料であって、１〜５０％の植物ゴム、好ましくは特に寒天を含有する長時間飼料を提供することにある。１〜１０％の植物ゴム、特に２．９％の植物ゴムを含有する鑑賞魚用飼料が好ましい。
植物ゴムの例としては、カラゲナン、寒天、アラビアゴム、トラガカント、カラヤゴム、ガッテイゴム（Ghatti-Gummi）、イナゴマメ粉末、タラゴム（Tara-Gummi）又はキサンタン（Xanthane）があり、特に寒天が好ましい。
鑑賞魚用の新規な長時間飼料は、天然ゴム及びセメントの不使用、飼料関連法規に適合した添加物質の使用、最適化された押出パラメータによる製造、製造効率の向上、光学的及び物理的特性の改善、水安定性の向上、並びに水への影響の減少を特徴とする。
更に、本発明による飼料において、含水量の低減により、水安定性、特に結合作用についての別のプラスの特性が得られる。更に、原材料は、魚にとって高吸収性である。
長期間飼料の組成は、多くの様々な原材料を含む。スティックの水安定性及び粒子相互の結合にとって好ましいのは、植物ゴム、特に海藻から製造された親水性コロイドに属するゲル化剤である寒天である。寒天は、線状および糸状構造の、特にガラクトースからなる巨大分子からなる乾燥した親水性コロイド物質である。ある種の紅藻類、即ち、テングサ及びGracellariaが、製造用に用いられる。水性コロイドは冷水には溶解しないが、高温では完全に溶解する。融点は約９５〜９８℃であり、ゲル化点は、約３５〜４０℃であり、しっかりした透明な熱反転性のゲルが形成され、このゲルは、約８５℃の温度でのみ再び融解する。
本発明の長期間飼料は、有利には、煮沸押出機によって、通常の飼料の素となる混合物（プレミックス）、植物ゴム及び必要により通常のビタミン、ミネラル、着色剤、芳香剤、誘引剤及び保存剤から製造する。
好ましい飼料プレミックスは、カオリン１５〜３５％、小麦グルテン１５〜３５％、ウマゴヤシ属粗びき殻粉
0004117024.tif 000002
５〜２５％、カゼイン５〜２０％、オキアミ５〜２０％、大豆油１〜１０％、乳蛋白１〜１０％、寒天１〜１０％及び必要に応じて、ビタミン−ミネラルプレミックス、通常の着色剤及び／又は芳香剤もしくは誘引剤並びに保存剤からなり、複式スクリュー煮沸押出機により、押出機スクリュー回転数５０〜３００回転／分、殻粉導入部位の温度４０〜１６０℃、ノズルヘッド中の温度４０〜１８０℃、処理される原材料の量が１時間当り８０〜１，５００kg、水の添加量１０〜５０ｌ及び／又は蒸気の添加量１〜３０kg/時、スティックの直径が２〜２０mmであり長さが５〜５０mmである押出物となるように押出すことによって製造される。特に有利には、カオリン２２．２％、小麦グルテン２２．０％、ウマゴヤシ属粗びき殻粉１４．５％、カゼイン１２．１％、オキアミ９．７％、大豆油４．８％、乳蛋白４．０％、寒天２．９％、必要に応じビタミン−ミネラルプレミックス、通常の着色剤及び／又は芳香物質もしくは誘引物質、及び／又は保存剤からなる混合物を、複式スクリュー煮沸押出機により、押出機スクリュー回転数１００回転／分、殻粉導入部位の温度８０℃、ノズルヘッド中の温度８５℃で、水を１時間当たり３１ｌ添加しつつスティック直径６〜８mmで長さ２０〜２５mmの押出物となるように押出す。
本発明の長時間飼料の分析組成は、粗蛋白質２０〜６０％、粗脂２〜２０％、粗灰２０〜４０％、ＨＣｌ不溶性の灰１０〜３０％（含水量１〜２０％）である。好ましい形態によれば、飼料は、蛋白質３８％、粗脂６％、粗灰３２％、ＨＣｌ不溶性の灰１７％（残留水分３％）である。
保存剤としては、エトキシキン（Ethoxyquin）、プロピオン酸カルシウム又はクエン酸が通常用いられる。
本発明による組成比及び押出パラメータによれば、煮沸押出機の生産効率は、従来の休日用飼料の約９０kg/時から約１４０kg/時に改善される。得られた飼料スティックは、従来の休日用飼料と比較して、一様に成形され、平滑な表面及び良好な断面をもち、即ち、光学的な外観が際立って改善され、水安定性がすぐれていると共に、従来の休日用飼料と比較して、水中に長い間滞留させた後にも、飼料の表面にかびが発生しない。飼料は、水に入れると、直ちに軟化し、約２倍の大きさに膨潤するが、それ以後は、その幾何学的形状を保ち、崩壊しない。それに反し、ＤＥ３７０７０３２号明細書による既知の飼料は、幾何学的形状が安定でなく、飼育水に入れると比較的すみやかに崩壊して小粒子を形成するので、後述するように、水への影響が増大する。
本発明のスティックを用いて飼育すると、従来の組成物を用いた場合と比べて、水槽中の水への負荷が際立って減少する。増大したアンモニウム価が測定されることはなく、亜硝酸イオン含量も際立って減少する。容量３０ｌの水槽中に平均的な値として１８匹の魚を入れた場合の通常の給餌においては、本発明の飼料スティック１〜２本で、約１週間分の飼料として十分である。発泡材カートリッジによる、生物学的に完全に作動する活性のフィルタシステムにおいて、前記のように給餌を行ったところ、有害物質の最大濃度として、亜硝酸イオンがわずか０．２mg/l、アンモニア０．０５mg/lという値が得られた。これに比較して、ＤＥ３７０７０３２号明細書による休日用飼料においては、有害物質の濃度は、亜硝酸イオン０．５mg/l、アンモニア０．２mg/lである。
本発明の飼料スティックは、比較的小さな鑑賞魚にとって比較的大型である。したがって、本発明の飼料は、全体として摂餌されるのではなく、おそらくは魚によって必要なだけかじられる。そのため水槽中に何日分も飼料を供与しておくことができる。このように飼料を部分的に食べる特別の形態のため、水中の飼料は、直ちに軟弱になり、膨潤するが、崩壊はしない。飼料は、好ましくは、水槽の内側壁の様々な個所に吸引カップによって固定させることの可能な、及び有孔のフォイル袋によって与える。淡水及び海水産の温水及び冷水鑑賞魚は、この袋の孔から１０日までの長期間に亘って必要な量の飼料を食べることができる。したがって、飼料は、長期間飼料となり、フォイル袋は、供給容器である。フォイル袋中には、少くとも６個までの飼料スティックを収納することができる。
この給餌形態は、様々な魚種によって高い割合で受けいられている。